(57)【要約】【課題】救難所におけるベッド等でのプライバシーを簡易に維持することができるブラインド装置を提供すること。【解決手段】下部に配設されたろくろ部材と、両下端部が当該ろくろ部材に回転自在に軸支された略逆U字状の複数の骨部材と、前記骨部材に取り付けられた折り畳み可能なブラインド布と、前記ろくろ部材に突設され、ベッドの側部に備わる受け部材に着脱自在に装着される装着片を備え、前記ろくろ部材を支点に前記骨部材を回動させて前記ブラインド布を開き、前記ベッドの上方を覆い隠すようにした。【選択図】図２
0003156523.tif 000002
【実用新案登録請求の範囲】
【請求項１】
下部に配設されたろくろ部材と、
両下端部が当該ろくろ部材に回転自在に軸支された略逆U字状の複数の骨部材と、
前記骨部材に取り付けられた折り畳み可能なブラインド布と、
前記ろくろ部材に突設され、ベッドの側部に備わる受け部材に着脱自在に装着される装着片を備え、
前記ろくろ部材を支点に前記骨部材を回動させて前記ブラインド布を開き、前記ベッドの上方を覆い隠すようにしたことを特徴とするベッドのブラインド装置。
【請求項２】
上部に配設されたろくろ部材と、
上端部が当該ろくろ部材に回転自在に軸支され、下端部をベッドの側部に備わる受け部材に着脱自在に装着可能な複数の傘骨状の親骨と、
前記ろくろ部材の下方に配設された支持棒と、
当該支持棒に対して摺動可能に装着されたスライド部材と、
当該スライド部材に一端が軸支され、他端が前記親骨に回転自在に軸支される受け骨と、
前記親骨に取り付けた折り畳み可能なブラインド布を備え、
前記スライド部材を上方に摺動させるとき、傘の開閉機構によって前記親骨が前記ろくろ部材を支点に回動して前記ブラインド布を開き、前記ベッドの上方を覆い隠すようにしたことを特徴とするベッドのブラインド装置。
【請求項３】
前記支持棒より垂設された紐状部材をさらに有し、
当該紐状部材を把持した上で前記スライド部材を摺動させるとき、傘の開閉機構により前記親骨が前記ろくろ部材を支点に回動して前記ブラインド布を開くことによって、前記ベッドの上方を覆い隠すようにした請求項2のブラインド装置。
【考案の詳細な説明】
【技術分野】
【０００１】
本考案は、ベッドの周囲を覆って個室タイプに構成することができるベッド等のブラインド装置に関するものである。
【背景技術】
【０００２】
病院、避難所などにおけるベッドは、通常の家庭用ベッドと同じく、ベッド周辺部は開放状態のままで使用されるのが通常である。
【０００３】
キャンプ等用に屋外で使用されるベッドとしては折畳んで運搬し使用時にポンプで空気を入れ膨らませて使用するいわゆるエアベッドもあるが、同様にベッド周辺部は開放状態のまま使用するのが一般的である。
【０００４】
また、これ以外にもたとえば空調を有効に行うためにベッドの上方にカーテンを設けてベッド上に就寝空間を形成する技術等もある（特許文献１参照）。
【特許文献１】特開２００９−１３１３０３号公報
【考案の概要】
【考案が解決しようとする課題】
【０００５】
従来の一般的なベッドにおいては、外部空間と内部空間とを遮るものがないため、病院、避難所あるいはキャンプ等で使用する場合、着替え、就寝などを他人から見られるおそれがあり、プライバシーを保つことができないという問題があった。
【０００６】
斯かる問題に対し、特許文献１に記載されているベッドは、カーテンにより仕切られた就寝空間を形成してなるが、ベッド上方にカーテン保持部を設けてカーテンを吊り下げる構成を採用していることから全体として大掛かりな装置となってしまい、避難所やキャンプ等には適用しにくいという問題があった。
【０００７】
本考案は、上記課題を解決するためになされたものであって、ワンタッチでベッド等に装着して、ベッド上などにおけるプライバシーを維持することができるベッド等のブラインド装置を提供することを目的とする。
【課題を解決するための手段】
【０００８】
上記課題を解決するため、請求項1に記載のベッドのブラインド装置は、下部に配設されたろくろ部材と、両下端部が当該ろくろ部材に回転自在に軸支された略逆U字状の複数の骨部材と、前記骨部材に取り付けられた折り畳み可能なブラインド布と、前記ろくろ部材に突設され、ベッドの側部に備わる受け部材に着脱自在に装着される装着片を備え、前記ろくろ部材を支点に前記骨部材を回動させて前記ブラインド布を開き、前記ベッドの上方を覆い隠すようにしたことを特徴とするものである。
【０００９】
請求項2に記載のベッドのブラインド装置は、上部に配設されたろくろ部材と、上端部が当該ろくろ部材に回転自在に軸支され、下端部をベッドの側部に備わる受け部材に着脱自在に装着可能な複数の傘骨状の親骨と、前記ろくろ部材の下方に配設された支持棒と、当該支持棒に対して摺動可能に装着されたスライド部材と、当該スライド部材に一端が軸支され、他端が前記親骨に回転自在に軸支される受け骨と、前記親骨に取り付けた折り畳み可能なブラインド布を備え、前記スライド部材を上方に摺動させるとき、傘の開閉機構によって前記親骨が前記ろくろ部材を支点に回動して前記ブラインド布を開き、前記ベッドの上方を覆い隠すようにしたことを特徴とするものである。
【００１０】
請求項3に記載のベッドのブラインド装置は、前記支持棒より垂設された紐状部材をさらに有し、当該紐状部材を把持した上で前記スライド部材を摺動させるとき、傘の開閉機構によって前記親骨が前記ろくろ部材を支点に回動して前記ブラインド布を開き、前記ベッドの上方を覆い隠すようにしたことを特徴とするものである。
【考案の効果】
【００１１】
本考案によれば、蚊帳状に設けられたブラインド布をワンタッチで開閉することができ、かつ開いたときにはブラインド布がベッドの上部空間を周囲から覆い隠すことによって、簡易迅速にプライバシーを保つことができるようになる。
【図面の簡単な説明】
【００１２】
【図１】本考案ブラインド装置の第1実施形態を例示する斜視図
【図２】第１実施形態のベッドのブラインド装置の折り畳み状態を例示する斜視図
【図３】本考案ブラインド装置の第2実施形態を例示する斜視図
【図４】第2実施形態のブラインド装置の折り畳み状態を例示する斜視図
【考案を実施するための形態】
【００１３】
図１に示すように、ベッド１の上部にはブラインド２が着脱自在に取り付けられており、このブラインド２は、骨部材３と当該骨部材３に取り付けられたブラインド布４とを備えてなるものである。本実施例において骨部材３は、上辺部３aの両端から直角に側辺部３ｂを折り曲げた形状であるが、当該形状を含め全体として略逆Ｕ字状をなすものであればその具体的な形状については任意である。そして、複数本の骨部材３の両側辺部３ｂの先端が軸６を介してろくろ部材５に回転自在に支持されている。ろくろ部材５には装着片７が突出されており、この装着片７を、ベッド１の側壁の中央部に垂直に取り付けられたパイプ状の受け部材８に着脱自在に装着するようになっている。
【００１４】
図２は、ブラインド２を軸６を中心に回転させて折畳んだ状態であり、この状態で運搬及び保管を行う。そして、ベッド１での使用時は、装着片７を受け部材８に挿入し、骨部材３を軸６を中心に左右に回転させることにより、ブラインド布４がベッド１の上部空間を覆い、ベッド１上の空間を外部から遮ることができる。ブラインド布４は、視線を遮るものであれば、天然繊維、合成繊維、テント布等、どのような材質のものでもよい。骨部材は、剛性のある軽量の材質のもの、例えばステンレス、アルミニウム等の金属が好ましい。
【００１５】
ベッド１は、エアベッドとすることにより、保管、運搬時はエアを抜いておき、被災地やキャンプ地等における使用時にエアポンプでエアを入れて使用することができる。但し、常時決まった場所で使用する場合はエアベッドでなくてもよい。
【００１６】
図３は、本考案のベッドのブラインドの第２実施形態を示す斜視図、図４は、第２実施形態の折り畳み状態の斜視図である。
【００１７】
図３、図４に示すように、第２実施形態のブラインド２は、骨部材１０と、骨部材１０に取り付けられたブラインド布４とを備えている。
【００１８】
骨部材１０は、上部のろくろ部材１１に回転自在に支持された４本の傘骨形状の親骨１０aと、この親骨１０aを支持する受け骨１０ｂとからなるものである。
【００１９】
受け骨１０ｂは、スライド部材１３に一端が支持され、他端は親骨１０aに回転自在に軸支されている。
【００２０】
スライド部材１３は、ろくろ部材１１に固着されて下方に延びる支持棒１２に挿入されている。ろくろ部材１１とスライド部材１３との間には、圧縮コイルばね１４が介在されている。
【００２１】
ブラインド２を折り畳んだ状態では、図４の鎖線の状態にあり、この状態で、スライド部材を片手に持ち、支持棒１２に取り付けられた紐１５を引き下げることにより、骨部材１０を介してブラインド布４が開いていき、支持棒１２に出没自在に設けられたストッパ１６にスライド部材が係止して図４のように、ブラインド２が開いた状態に保たれる。
【００２２】
この状態で、親骨１０aの先端に形成されている装着片１０ｃを受け部材８に挿入することにより、ブラインド布４がベッド１の上部空間を覆い、ベッド１上の空間を外部から遮ることができる。
【００２３】
なお、図３、図４に鎖線で示すように、上端のろくろ部材１１から支持棒１２内に紐１７を通して、この紐１７をスライド部材１３につないでおき、この紐１７を引っ張ることにより、スライド部材１３を引き上げてブラインド２を開くように構成することも可能であり、斯かる構成により、紐１７を引っ張る操作だけで、ワンタッチでブラインドを開くことが可能となる。
【符号の説明】
【００２４】
１    ベッド
２    ブラインド
３    骨部材
４    ブラインド布
５    ろくろ部材
６    軸
７    装着片
８    受け部材
１０  骨部材
１０ａ    親骨
１０ｂ    受け骨
１０ｃ    装着片
１１    ろくろ部材
１２    支持棒
１３    スライド部材
１５、１７    紐
【図１】
0003156523.tif 000003
【図２】
0003156523.tif 000004
【図３】
0003156523.tif 000005
【図４】
0003156523.tif 000006